(57)【要約】 【課題】  サッシ側の縦框が狭框の場合にも容易に適用し得ること。【解決手段】  引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合すると前記トリガーを自動的に係止するラッチング機構を備えた引戸錠に於いて、前記錠箱は狭い縦框（狭框）に沿って取り付けられ得る長箱状に形成され、該長箱状の錠箱の略中央部には前記トリガーを設け、このトリガーを基準にして一方の内部空間に動力変換手段を介して該トリガーに連動する鎌片を配設し、他方の内部空間にラッチング機構を構成する各部材を配設したことを特徴とする引戸錠。【選択図】  図２
2006207271.tif 000002
【特許請求の範囲】
【請求項１】
引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合すると前記トリガーを自動的に係止するラッチング機構を備えた引戸錠に於いて、前記錠箱は狭い縦框（狭框）に沿って取り付けられ得る長箱状に形成され、該長箱状の錠箱の略中央部には前記トリガーを設け、このトリガーを基準にして一方の内部空間に動力変換手段を介して該トリガーに連動する鎌片を配設し、他方の内部空間にラッチング機構を構成する各部材を配設したことを特徴とする引戸錠。
【請求項２】
請求項１に於いて、縦框（狭框）１ａは、基準縦框の側辺部の端面間の横幅に対して半分、或いは半分よりやや大き目、或いはまた半分よりやや小さめであり、引戸錠の錠箱１０は、当該縦框１ａの内部に取り付けることが可能であることを特徴とする引戸錠。
【請求項３】
請求項１に於いて、ラッチング機構Ｚのトリガー３１の一辺には突片状の連結片３４が設けられ、該連結片には、錠箱の横長案内長孔２５に係合する可動軸３５が設けられていることを特徴とする引戸錠。
【請求項４】
請求項１又は請求項３に於いて、錠箱には、動力変換手段の下方可動軸２１を案内する第１横長案内長孔２０と、ラッチング機構Ｚの上方可動軸３５を案内する第２横長案内長孔２５がそれぞれ形成されていることを特徴とする引戸錠。
【請求項５】
請求項１に於いて、ラッチング機構Ｚは、トリガー３１と連動し得るように上方可動軸を介して該トリガーに連結され、かつ、固定軸に軸支されたラッチ板５２と、このラッチ板の上方に支持軸５３を介して配設され、かつ、バネ部材５４のバネ力によりラッチ板に対して係合可能な方向に常時付勢された仮施錠用係止片５５と、この係止片に連係するように錠箱に上下動自在に設けられた係合解除片５７とから成ることを特徴とする引戸錠。
【発明の詳細な説明】
【技術分野】
【０００１】
本発明は、トリガー、トリガーに連動する鎌片及びラッチング機構を備えた引戸錠に関する。
【背景技術】
【０００２】
錠箱のフロントから受け金具に向かって突出するトリガー（水平突出杆）と、このトリガーに連動する鎌片を備えた建具用引戸錠は、例えば実開昭５７−１１０２６０号公報（特許文献１）に記載されている。
【０００３】
この種の引戸錠は、引戸の閉戸時、トリガーはその先端面がストライクの表面に突き当たると後退し始め、鎌片は動力変換機構（例えばラック及びピニオン）を介して掛合方向へと突出する。
【０００４】
したがって、例えば引戸を急激に閉めた時の「引戸跳ね返り現象（跳ね返り）」によって引戸が戻ると、鎌片は錠箱側に容易に後退し、トリガーは鎌片が回転した分だけ動力変換機構を介してストライク側へ進出する関係にある。
【０００５】
そこで、引戸を閉めた時の跳ね返りを防止するために、建具用引戸錠には、普通一般にラッチング機構（仮施錠機構）が組込まれている。ラッチング機構を備えた先行技術の一つとして例えば特開２００２−３２２８５０号公報（特許文献２）が存在する。この特許文献２は、本発明の外延となり得る先行技術である。
【０００６】
したがって、本願発明は、「引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合すると前記トリガーを自動的に係止するラッチング機構を備えた引戸錠」を前提とする。
【０００７】
ところで、特許文献２に記載の発明は、「引戸閉戸時の跳ね返り防止」のみならず、「鎌片やラッチング機構の破損防止」を目的としている。そのために、引戸閉戸時、ラッチング機構の新規な構成により、鎌片を錠箱の後壁側へ後退させ得る。すなわち、特許文献２に記載の発明は、「引戸閉戸時、跳ね返り現象が生じすると、ラッチング機構を構成する仮施錠用係止爪片は、ラッチ板の係合歯から受ける係合解除方向への力により、係合方向へ常時付勢する錠箱内の戻しバネのバネ力に抗して、かつ、係合解除片に形成した水平案内長孔に係合する係合ピン並びに錠箱に形成した逃し案内長孔に係合する可動枢支ピンを介して、前記水平案内長孔の遊び間隙側及び逃し案内長孔の緩衝用間隙側へと同時移行することを特徴とする。
【０００８】
上記構成の新規事項の一つとして、「鎌片の基端部側に該鎌片を錠箱の後壁側へ後退させ得る鎌片長孔を形成しているが、この鎌片長孔は、引戸閉戸時、引戸をさらに閉めることによって、鎌片を錠箱内に後退させることができるから、チリ調整機能を果たしている（特許文献２の段落００２５にその旨の記載）。
【０００９】
したがって、特許文献２に記載の発明は、引戸閉戸時の跳ね返り防止、鎌片やラッチング機構の破損防止、引戸閉戸時におけるチリ調整機能等幾つかの優れた利点を有している。
【００１０】
しかしながら、特許文献２に記載の発明は、錠箱の一方側の空間（例えばトリガーを基準にした下方の内部空間）に動力変換手段を介して該トリガーに連動する鎌片とラッチング機構を構成する各部材（ラッチ板、仮施錠用係止片、バネ部材、係止片等）を配設しているので、サッシ側の縦框が、狭い縦框（狭框）の場合には適用し難いという問題点があった。
【特許文献１】実開昭５７−１１０２６０号公報
【特許文献２】特開２００２−３２２８５０号公報
【発明の開示】
【発明が解決しようとする課題】
【００１１】
本発明の目的は、特許文献２の利点を備えながら、その問題点（サッシ側の縦框が狭框の場合にも容易に適用し得ること。）を解消することである。
【課題を解決するための手段】
【００１２】
本発明の引戸錠は、引戸を閉めると、戸枠側の受け金具に当たって錠箱内に後退するトリガー、固定軸に軸支されかつトリガーの後退動に連動して前記受け金具に係合する方向へ回転する鎌片、該鎌片が受け金具に係合すると前記トリガーを自動的に係止するラッチング機構を備えた引戸錠に於いて、前記錠箱は狭い縦框（狭框）に沿って取り付けられ得る長箱状に形成され、該長箱状の錠箱の略中央部には前記トリガーを設け、このトリガーを基準にして一方の内部空間に動力変換手段を介して該トリガーに連動する鎌片を配設し、他方の内部空間にラッチング機構を構成する各部材を配設したことを特徴とする。
【００１３】
また、ここで「狭い縦框（狭框）」とは、建具や錠前の当業者の立場から、錠箱の入る、又は錠箱が取り付けられる当該縦框が、基準縦框と比較して「狭い」との印象を受け取ることができるものをいう。例えば基準縦框の側辺部の端面間の横幅が１２０ｍｍである場合に於いて、当該縦框の横幅が、その半分の６０ｍｍである場合には、ここでいう狭框の一例に含まれるものとする。
【００１４】
したがって、基準縦框の寸法が建具のデザイン等により変わり、例えば基準縦框１００ｍｍである場合には、当該縦框の横幅が５０ｍｍ（その半分）、６０ｍｍ（半分よりやや大き目）、４０ｍｍ（半分よりやや小さめ）等は、当然に狭框の概念に含まれる。
【発明の効果】
【００１５】
（１）サッシ側の縦框が狭框の場合にも容易に適用し得る。
（２）錠箱内の空間部分の有効利用を図ることができる。
【発明を実施するための最良の形態】
【００１６】
図１乃至図７に示す第１実施例を参照に本発明の引戸錠Ｘを説明する。
【００１７】
（１）発明の実施の環境
まず図１及び図２を参照に発明の実施の環境について説明する。Ｘは、例えば引戸１の狭い縦框（狭框）１ａ中に収められる彫り込み型の引戸錠である。したがって、後述する錠箱１０は、狭い縦框（狭框）１ａに沿って取り付けることができるように長箱状に形成されている。
【００１８】
一方、Ｙは戸枠２に固定的に取付けられた受け金具である。受け金具Ｙは、ボックス部を有するトロヨケ３と、このトロヨケ３の開口に重ね合わせられたストライク（受座）４とから成る。ストライク４は縦長の板状に形成され、複数個の固着手段５を介してトロヨケ３の耳状の取り付け部に固定される。
【００１９】
本実施例では、長板状のストライク（受座）４の表面から突出する掛合片６にトリガーの先端部が当接可能である。ここで掛合片６について付言すると、押し込み兼掛合片６は、ストライク４の縦長窓７から多少突出するようにストライク４又はトロヨケ３に適宜固定されている。この掛合片６は、「チリ」設定を考慮して設けたものであるが、基本的にはストライク４の一部を構成する。したがって、ストライク４は、引戸１を閉める際に該掛合片６を介してトリガーを後退させる。
【００２０】
また、普通一般に引戸１の先端面と戸枠２との間には「３ｍｍ，５ｍｍ等のチリ」設定するが、本実施例では、閉戸時、チリがあっても、引戸１を閉めることが可能であり、引戸１を閉めると、チリがなくなる。すなわち、閉戸時、長板状のストライク（受座）４の表面に引戸１の先端面が当接可能である。
【００２１】
（２）錠箱
次に錠箱について説明する。錠箱１０は、周知のように、ケース身１０ａと、このケース身の大きい開口部（側壁部分に相当）を閉鎖する矩形板状のケース蓋１０ｂとから成る。本実施例の長箱状の錠箱１０は、引戸１の狭い縦框（狭框）１ａに内装され得る。
【００２２】
１１は錠箱１０の前側の開口に固定されたフロントである。このフロント１１は、普通一般に錠箱１０のフロント前壁１２に固定されている。ここでは、フロント前壁１２もフロント１１の用語に含まれる。
【００２３】
１３は錠箱を引戸１に固定するための複数個の第２固着手段である。１４は鎌片用出入り窓で、この出入り窓１４の上部側には、換言すればフロント１１の略中心部には、トリガーを案内するやや縦長状のトリガー支持部材１５が取り付けられている。トリガー支持部材１５の先端部側は、図２で示すようにフロント１１に嵌め込まれている。
【００２４】
（３）ケース身とケース蓋
図３はケース身１０ａの正面図である。ここで、図１乃至図３を参照にしてケース身１０ａ及びケース蓋１０ｂに形成された主な取付け部（例えばガイド孔、軸孔、取付け孔）ついて説明する。なお、本発明の関係のない取付け部等の説明は省略する。
【００２５】
まず２０はケース身１０ａ及びケース蓋１０ｂの中央部よりの位置に形成された第１の横長案内長孔で、この第１横長案内長孔２０は、フロント１１（先端部）側の弧状案内部２０ａと、これに連続する直線案内部２０ｂとから成る。この横長案内長孔２０には、鎌片４３の後端部に固定的に設けられた可動軸２１が係合する。
【００２６】
次に２２は弧状案内部２０ａの直ぐ下方に設けられた軸孔で、この軸孔２２には、鎌片を案内する固定軸２３が設けられている。鎌片用の固定軸２３は、後述する鎌片長孔を介して錠箱１０に横設軸架されている。
【００２７】
次に２４は弧状案内部２０ａとフロント１１との間に形成された矩形小孔状の第１取付け部で、この第１取付け部２４には、前述したトリガー支持部材１５が適宜に取り付けられる。したがって、第１取付け部２４は、弧状案内部２０ａよりも若干上位のフロント１１寄りの部位に形成されている。
【００２８】
次に２５は錠箱１０の中央部よりの部位に形成された第２の横長案内長孔で、この第２横長案内長孔２５は、第１横長案内長孔２０とは相違し、先端部から後端部にかけて直線的に形成されている。第１横長案内長孔２０及び第２横長案内長孔２５は、トリガー３１の位置に関連付けて錠箱１０の中央部（中央部よりの位置も含む）にそれぞれ形成されているが、前者２０は動力変換手段の下方可動軸２１を案内し、一方、後者２５はラッチング機構Ｚの上方可動軸３５を案内する。
【００２９】
次に２６は、第２横長案内長孔２５の上方近傍に形成された矩形小孔状の第２取付け部で、この第２取付け部２６にはラッチ板５２用固定支軸５１が取り付けられる。
【００３０】
次に２７は、錠箱１０の上方の後壁寄りの部位に形成された矩形小孔状の第３取付け部で、この第３取付け部２７には仮施錠片用係止片５５の支持軸５３が取り付けられる。そして、２８は、錠箱１０の上方の上壁寄りの部位に形成された矩形小孔状の第４取付け部で、この第４取付け部２８には係合解除片５７用の案内軸５６が取り付けられる。
【００３１】
その他、錠箱１０の下部の中央部には、矩形小孔状の第５取付け部２９が形成され、この第５取付け部２９には、ケース蓋１０ｂ固定用のメネジ支持杆３０が取り付けられている。このメネジ支持杆３０は、鎌片４３が錠箱内に戻った時に所定位置で止めるストッパー機能を有している（図２参照）。なお、１８は錠箱１０の上壁に突設された取付け用舌片で、錠箱１０は、この取付け用舌片１８を介して狭い縦框（狭框）１ａに固定的に内装される。
【００３２】
（４）トリガーとトリガーバネ
次に図４を参照にしてトリガー３１を説明する。図４はトリガー３１の正面図である。トリガー３１は錠箱１０の略中央部に摺動自在に装着されている。このトリガー３１は、短杆状先端部３２と、この突出先端部３２に幅広に連設する幅広状後端部３３とから成り、図２で示すように引戸が開いている時は、前記先端部３２は錠箱１０のフロント１１から突出する。
【００３３】
しかして、３４は前記後端部３３の一辺（例えば上辺）に突片状に設けられた連結片で、この連結片３４には、第２横長案内長孔２５に係合する上方可動軸３５が設けられている。上方可動軸３５は設計如何を問わず、第１係合部分に相当し、トリガー３１に連動して第２横長案内長孔２５内を水平移動する。
【００３４】
また、３６は後端部３３の下辺に下向きＵ字形状に形成された第２係合部分で、この第２係合部分３６には、前述した鎌片４３の可動軸２１が摺接自在に係合する。また、３７は後端部３３の後端面からその内部にかけて横溝状に形成されたバネ嵌合部分で、このバネ嵌合部分３７にはトリガーバネ３８の先端側が組み込まれている。
【００３５】
ここで、トリガーバネ３８について説明する。トリガーバネ３８は後端部３３とケース身１０ａの後壁との間に横方向に組込まれ、その先端部が後端部３３のバネ嵌合部分３７の内面に適宜に圧接し、一方、後端部は後壁に固定的に設けられたバネ支持具３９に支持されている。したがって、トリガー３１は、トリガーバネ３８のバネ力により、その先端部３２の一部が常時フロント１１から突出するように付勢されている。
【００３６】
さらに、後端部３３の側壁には突起４０が設けられ、該突起４０は錠箱１０に設けられたトリガーガイド（図示しない）に案内される。本実施例のトリガー３１は、その先端部３２がトリガー支持部材１５に常に嵌入している。したがって、トリガー３１はトリガー支持部材１５及び前記突起４０に案内されて安定的に進退動する。
【００３７】
（５）鎌片
鎌片４３は、トリガー３１を基準にして下方の内部空間に動力変換手段２１，３６を介して該トリガー３１に連動するように配設されている。また、鎌片４３は全体として人差し指を折り曲げた形態をしており、その幅広基部４３ａの縁部には下方可動軸２１が突設されている。前述したように、動力変換機構の一部を構成する下方可動軸２１は、錠箱１０の第１横長案内長孔２０に係合している。また鎌片４３の基部４３ａには鎌片長孔４４が形成されている。鎌片４３は、該鎌片長孔４４を貫通する鎌片用固定軸２３に軸支されている。したがって、鎌片４３がトリガー３１に連動するための動力変換機構は、トリガー３１の第２係合部分３６と鎌片４３用の下方可動軸２１で構成されているから、極めてシンプルな構成となっている。
【００３８】
ところで、前記鎌片長孔４４はチリ調整機能を有する。この鎌片長孔４４は、横長案内長孔２０の直線案内部２０ｂと相俟って、引戸１の閉戸時であっても、換言すれば、鎌片４３の鉤状先端部４０ｂがストライク４に係合（掛合）のままであっても、引戸１をさらに閉めると、鎌片４３の基部４３ａ側を錠箱１０内に後退させることができる。
【００３９】
（６）ラッチング機構
鎌片４３を仮施錠状態にする、又は仮施錠状態を解消するラッチング機構Ｚは、本実施例では、鎌片４３を下方の内部空間に配設したことから、上方の内部空間に配設している。
【００４０】
しかして、ラッチング機構Ｚの各部材は、トリガー３１と連動し得るように上方可動軸３５を介して該トリガー３１に連結され、かつ、固定支軸５１に軸支されたラッチ板５２と、このラッチ板５２よりも上方の支持軸５３を介して配設され、かつ、バネ部材５４のバネ力によりラッチ板５２の係合爪５２ａに対して係合可能な方向に常時付勢された仮施錠用係止片５５と、この係止片５５に連係するように錠箱１０の上部に固定された案内軸５６を介して上下動自在に設けられた係合解除片５７とから成る。
【００４１】
ここで、符号を省略してラッチング機構Ｚの各部材の細部的事項を説明すると、ラッチ板５２の下端部側には、上方可動軸３５用の案内長孔が形成され、一方、上端部側には、仮施錠用係止片５５の他端部と係脱する複数個の係止爪（ラチェット歯）５２ａが形成されている。また、バネ部材５４は、その中央部が上方支持軸５３に巻装され、一端部は仮施錠用係止片５５の内壁面に圧接していると共に、他端部は錠箱１０の後壁内面に圧接している。また、仮施錠用係止片５５の内端部には係合解除片５７と連係する連係部分が設けられている。例えば前記連係部分は、符号を付さない横方向の係合溝であり、該係合溝に係合解除片５７の係合突起５８が余裕を持って係合する。
【００４２】
そして、前記係合解除片５７は錠箱１０の上壁に差し込むように設けられ、その内端部には、案内軸５６と係合する垂直案内長孔が形成されて、一方、外端部には、図示しない操作部材が係合する矩形状の係合窓が形成されている。
【００４３】
（７）作用
図５はラッチング機構Ｚの仮施錠状態に至る概略説明図である。したがって、ラッチング機構Ｚの仮施錠状態が解消する場合は、図５とは逆の作動態様となる。また、図６は、閉戸時の一例に於いて、鎌片４３、引戸１等も含めた全体の動きを示す概略説明図である。
【００４４】
まず、図２と図６とを対比すると明らかなように、図２は引戸１を矢印Ａ方向に閉める途中に於いて、トリガー３１の先端部３２がストライク４の掛合片６に当たる寸前を示しているのに対し、図６はトリガー３１がトリガー支持部材１５及び前記突起４０に案内されて錠箱１０内に後退し、該トリガー３１の後退動に連動して鎌片４３が固定軸２３を支点に時計（掛合）方向に回転し、その結果、鎌片４３の先端部４３ａがストライク４に係合した状態を示している。
【００４５】
図２から図６の閉戸時状態になる過程に於いて、ラッチング機構Ｚを構成するラッチ板５２は、トリガー３１が後退動すると、当然のことながら、上方可動軸３５が第２横長案内長孔２５内を錠箱の後壁に向かって移動することから、固定支軸５１を支点にして反時計方向へと回転する。したがって、ラッチ板５２の係止爪５２ａは、引戸１の閉鎖位置に対応して仮施錠用係止片５５の他端部に係合する。この時、仮施錠用係止片５５は、バネ部材５４のバネ力に抗して一旦上方に押し上げられるものの、バネ部材５４の復帰力により、ラッチ板５２の係止爪５２ａのいずれかに自動的に係合する。これが仮施錠状態である。この仮施錠状態を解消する場合には、図示しない外部の操作手段を介して係合解除片５７を上方へ引くと、仮施錠用係止片５５は、連係手段を介して係合解除（時計方向）に回転する。
【００４６】
ところで、図７は、引戸閉戸時におけるチリ調整機能を示す説明図である。前述したように鎌片長孔４４はチリ調整機能を有する。したがって、図６の所定のチリを有する閉鎖位置にて、さらに、引戸１を矢印Ａ方向へ閉めた場合には、鎌片４３は、錠箱１０の第１横長案内長孔２０の直線案内部２０ｂ及び鎌片４３の鎌片長孔４４の両者に案内される固定軸２３を介してトリガー３１と一緒に錠箱１０内に後退する格好となる。
【実施例】
【００４７】
本実施例の長箱状錠箱１０は、図６で示すように、フロント１１を基準にした縦框１ａ内のスペースに収納され得る。また、本実施例の縦框１ａのガラスやフロントを基準にした端面間の横幅は、６０ｍｍないし４０ｍｍである。
【００４８】
また、本実施例では、受け金具Ｙは、ストライク４の表面から突出する掛合片６を有しているが、掛合片６は本発明の特定（限定）要件ではない。また、鎌片４３の鎌片長孔４４は、受け金具Ｙ側に掛合片６を有しない場合には、鎌片が突出したままの状態で引戸１を閉めた場合においても、鎌片が錠箱１０内に後退し得るように所要の長さに設定され得る。さらに、ラッチング機構Ｚを構成する各部材の連係手段、係合解除片５７と錠箱１０側の案内軸５６との係合関係等は、任意に設計変更可能である。
【産業上の利用可能性】
【００４９】
本発明は、主に錠前や建具の業界で利用される。
【図面の簡単な説明】
【００５０】
図１乃至図７は本発明の一実施例を示す各説明図である。
【図１】実施形態の一例を示す斜視図。
【図２】引戸を閉める途中の概略説明図。
【図３】ケース身の正面図。
【図４】トリガーの正面図。
【図５】主要部の作用を示す概略説明図。
【図６】引戸閉戸時の一例を示す概略説明図。
【図７】引戸閉戸時におけるチリ調整機能を示す概略説明図。
【符号の説明】
【００５１】
Ｘ…引戸錠、Ｙ…受け金具、Ｚ…ラッチング機構、１…引戸、１ａ…狭框、
２…戸枠、３…トロヨケ、４…ストライク、５，１３…固着具、６…掛合片、１０…錠箱、１０ａ…ケース身、１１…フロント、１２…フロント前壁、１４…出入り窓、１５…トリガー支持部材、１８…取付け用舌片、２０…第１横長案内長孔、２１…動力変換手段（下方可動軸）、２２…軸孔、２３…固定軸、２４，２６，２７，２８，２９…取付け部、２５…第２横長案内長孔、３１…トリガー、３２…短杆状先端部、３３…幅広状後端部、３４…連結片、３５…上方可動軸（第１係合部分）、３６…動力変換手段（第２係合部分）、３７…バネ嵌合部分、３８…トリガーバネ、３９…バネ支持具、４０…突起、４３…鎌片、４３ａ…基端部、４３ｂ…先端部、４４…鎌片長孔、５１…固定支軸、５２…ラッチ板、５２ａ…ラッチ板の係止爪、５３…支持軸、５４…バネ部材、５５…仮施錠用係止片、５６…案内軸、５６…係合解除片、Ａ…矢印。
【図１】
2006207271.tif 000003
【図２】
2006207271.tif 000004
【図３】
2006207271.tif 000005
【図４】
2006207271.tif 000006
【図５】
2006207271.tif 000007
【図６】
2006207271.tif 000008
【図７】
2006207271.tif 000009